(57)【要約】      （修正有）【課題】原稿読取装置にて読み取った紙原稿上の符号化された画像を復号して印刷を実行する場合、復号の失敗の原因が原稿台読取り面にあるのか、原稿の符号化画像自体にあるのかを判断可能とする画像形成装置を提供する。【解決手段】原稿台３０４を介して符号化画像の原稿を読み取り、符号化画像を復号する。汚れ制御部３１２は、復号に失敗した場合に、符号化画像の原稿の向きを変更した置き方で再度読み取らせ、再度の復号を実行させる。再度の復号にも失敗した場合に、最初に復号に失敗した符号化画像上の符号化位置と再度の復号に失敗した符号化画像の符号化位置の位置関係を判定し、位置関係が異なると判定した場合は原稿台の読取り面等に汚れ又は問題があると判定し、位置関係が同じである場合は符号化画像の原稿に汚れ又は問題があると判定する。報知部３１３は、汚れ制御部３１２による夫々の判定の結果を操作パネル３０５を介してユーザに報知する。【選択図】図３
2019047200.tif 000002
【特許請求の範囲】
【請求項１】
符号化画像の原稿を読み取る読取り部と、前記読取り部により読み取られた符号化画像を復号する復号部とを備える画像形成装置において、
前記復号部が前記復号に失敗した場合は、前記符号化画像の原稿の向きを変更した置き方で前記読取り部に前記符号化画像を再度読み取らせ、前記再度読み取らせた符号化画像を前記復号部に再度の復号を実行させ、
前記復号部が前記再度の復号に失敗した場合において、最初に前記復号に失敗した前記符号化画像上の符号化位置と前記再度の復号に失敗した前記符号化画像の符号化位置の位置関係を判定し、
前記位置関係が異なると判定した場合は前記読取り部に汚れ又は問題があると判定し、
前記位置関係が同じであると判定した場合は前記符号化画像の原稿に汚れ又は問題があると判定する、
汚れ制御部と、
前記汚れ制御部による夫々の前記判定の結果をユーザに報知する報知部と、
を有することを特徴とする画像形成装置。
【請求項２】
前記汚れ制御部は、前記読取り部に汚れ又は問題があると判定した場合に、前記復号部で得られる最初の前記復号のときに復号に成功した部分の復号データと、前記復号部で得られる前記再度の復号のときに成功した部分の復号データとを合成して訂正し、前記合成及び前記訂正に成功した場合に得られる復号データを最終的な復号データとして出力する、ことを特徴とする請求項１に記載の画像形成装置。
【請求項３】
符号化画像の原稿を読み取る読取り処理と、前記読取り処理により読み取られた符号化画像を復号する復号処理とを実行する画像形成方法であって、
前記復号処理で前記復号に失敗した場合は、前記符号化画像の原稿の向きを変更した置き方で前記読取り処理で前記符号化画像を再度読み取り、前記再度読み取らせた符号化画像を前記復号処理で再度の復号を実行し、
前記復号処理で前記再度の復号に失敗した場合において、最初に前記復号に失敗した前記符号化画像上の符号化位置と前記再度の復号に失敗した前記符号化画像の符号化位置の位置関係が異なる場合には前記読取り処理を行う読取り部に汚れ又は問題があると判定し、
前記位置関係が同じ場合には前記符号化画像の原稿に汚れ又は問題があると判定する、
汚れ制御処理と、
前記汚れ制御処理による夫々の前記判定の結果をユーザに報知する報知処理と、
を実行することを特徴とする画像形成方法。
【発明の詳細な説明】
【技術分野】
【０００１】
原稿読取装置にて読み取った紙原稿上の符号化された画像を復号して印刷を実行する画像形成装置及び画像形成方法に関する。
【背景技術】
【０００２】
学校等のネットワーク環境が整っていない場所でオフラインで使用される印刷機を対象として、原稿データを符号化して生成した符号化画像を手元のプリンタで紙媒体に一旦印刷し、オフラインの印刷機にてその紙媒体上の符号化画像を読み取ってこの符号化画像から原稿データを復元して印刷できるようにした技術（以下「ペーパインタフェース機能」と呼ぶ）が知られている。この技術によれば、元の原稿データの品質を落とさずにオフライン印刷が可能となり、また、紙媒体を印刷機に置き忘れても符号化画像は直接には判読できないためセキュリティ上安全なオフライン印刷が可能となる。
【０００３】
上述のペーパインタフェース機能において、紙媒体上の符号化画像が汚れていたり、あるいはこの紙媒体上の符号化画像を読み取るオフラインの印刷機の原稿台のガラスが汚れていたりすると、元の原稿データを正しく復元することができないため、そのような汚れを検出する技術が求められている。
【０００４】
従来、次のような技術が知られている（例えば特許文献１）。読み取り装置側で、紙面のパターン画像から信号を抽出した後，各分割情報について誤り訂正符号を復号化することで読み取り誤りを検知し，読み取り誤りのあった部分に対して再度読み取りを行う。スキャナ装置の一時的な動作不良などによって復号化できなかった部分について再度スキャン処理を行うことによって取得できない部分だけを復号化処理する。この従来技術では、読み取りの際にエラーを起こした場所を正確に特定するとともに，その読み取りエラー部分の再度の読み取り処理を効率良く行う印刷物処理システムを提供する。
【先行技術文献】
【特許文献】
【０００５】
【特許文献１】特開平２００５−０９４１０７号
【発明の概要】
【発明が解決しようとする課題】
【０００６】
しかしながら、上述の従来技術は、コード化原稿を用いた処理において、データの復号に失敗した原因がオフライン印刷機の原稿台のガラスの汚れによるものなのかコード化原稿自体に問題があるのかを自動的に判別できなかった。従って、ユーザは、再度の読み取り処理において、紙媒体上の符号化画像の汚れを修正（再印刷）する必要があるのか、原稿台のガラスを清掃する必要があるのかを判断することが難しかった。
【０００７】
そこで、本発明は、復号の失敗の原因が原稿台読取り面にあるのか、原稿の符号化画像自体にあるのかを判断可能とすることを目的とする。
【課題を解決するための手段】
【０００８】
態様の一例では、原稿の符号化画像を読み取る読取り部と、読取り部により読み取られた符号化画像を復号する復号部とを備える画像形成装置において、復号部が復号に失敗した場合は、原稿の向きを変更した置き方で読取り部に符号化画像を再度読み取らせ、再度読み取らせた符号化画像を復号部に再度の復号を実行させ、復号部が再度の復号に失敗した場合において、最初に復号に失敗した符号化画像上の符号化位置と再度の復号に失敗した符号化画像の符号化位置の位置関係を判定し、位置関係が異なると判定した場合は読取り部に汚れ又は問題があると判定し、位置関係が同じであると判定した場合は符号化画像の原稿に汚れ又は問題があると判定する、制御部と、制御部による夫々の判定の結果をユーザに報知する報知部と、を有する。
【発明の効果】
【０００９】
本発明によれば、復号の失敗の原因が原稿台読取り部にあるのか、原稿の符号化画像自体にあるのかを判断することが可能となる。
【図面の簡単な説明】
【００１０】
【図１】画像形成システムの実施形態のシステム構成例を示す図である。
【図２】情報端末装置の実施形態の構成例を示すブロック図である。
【図３】画像形成装置である複合機の実施形態の構成例を示すブロック図である。
【図４】符号化画像の例を示す図である。
【図５】実施形態の動作説明図である。
【図６】複合機の制御処理の例を示すフローチャートである。
【発明を実施するための形態】
【００１１】
以下、本発明を実施するための形態について図面を参照しながら詳細に説明する。図１は、画像形成システムの実施形態のシステム構成例を示す図である。図１に示されるように、画像形成システム１００は、情報端末装置１０１と、情報端末装置１０１からはオフラインになる画像形成装置である複合機１０２と、ローカルエリアネットワーク等のネットワーク１０４を介して情報端末装置１０１にオンラインで接続される印刷装置１０３とを含む。
【００１２】
本実施形態では、複合機１０２において、原稿台に置いた原稿又はオートドキュメントフィーダ（以下「ＡＤＦ」と記載）から読み込んだ原稿の符号化画像を読み取る読取り処理と、読み取られた符号化画像を復号する復号処理とが実行される。復号に失敗した場合は、原稿の向きを例えば１８０度変更した置き方で符号化画像の再度の読取りを実行し、再度の読み取られた符号化画像に体する再度の復号処理を実行する。そして、再度の復号に失敗した場合において、最初に復号に失敗した符号化画像上の符号化位置と再度の復号に失敗した符号化画像の符号化位置の位置関係が判定される。この結果、位置関係が異なると判定された場合は原稿台の読取り面に汚れ又は問題があると判定される。一方、位置関係が同じであると判定された場合は符号化画像の原稿に汚れ又は問題があると判定される。そして、これらの判定の結果がユーザに報知される。このようにして、本実施形態では、復号の失敗の原因が原稿の読取り部にあるのか、原稿の符号化画像自体にあるのかを判断することが可能となる。
【００１３】
更に、本実施形態では、原稿の読取り部に汚れ又は問題があると判定された場合に、最初の復号のときに復号に成功した部分の復号データと、再度の復号のときに成功した部分の復号データとが合成して訂正され、それに成功した場合に得られる復号データが最終的な復号データとして出力される。このようにして、本実施形態では更に、原稿の読取り部に汚れ又は問題があると判定された場合であっても、復号データを出力することができて、ユーザの利便性を高めることが可能となる。
【００１４】
図２は、符号化画像生成装置である図１の情報端末装置１０１の実施形態の構成例を示すブロック図である。情報端末装置１０１は、制御部２０１と、外部記憶装置２０２と、入力部２０３と、表示部２０４と、通信インタフェース２０５と、可搬記録媒体インタフェース２０６が、バス２０７によって相互に接続された構成を有する。制御部２０１は更に、原稿データ生成部２１０と、第１プリンタドライバ部として動作する印刷データ生成部２１１及び符号化画像生成部２１２と、第２プリンタドライバ部２１３とを有する。
【００１５】
図２の情報端末装置１０１の構成において、制御部２０１は、２１０から２１３の各部の機能を実現する専用のハードウェア装置、又は特には図示しないメモリに記憶された制御プログラムを実行するプロセッサである。制御部２０１において、原稿データ生成部２１０は、印刷対象となる原稿データを作成するための、ワードプロセッサや表計算ソフトをはじめとする各種アプリケーション実行部である。
【００１６】
制御部２０１で実行される第１プリンタドライバ部に含まれる印刷データ生成部２１１は、原稿データ生成部２１０で生成された原稿データから印刷データを生成する。印刷データは、原稿データに対するイメージ画像データである。
【００１７】
制御部２０１で実行される第１プリンタドライバ部に含まれる符号化画像生成部２１２は、印刷データ生成部２１１が生成した印刷データから符号化画像を生成し、符号化画像の紙媒体の各ページへの印刷を第２プリンタドライバ部２１３に指示する。
【００１８】
制御部２０１で実行される第２プリンタドライバ部２１３は、符号化画像生成部２１２が符号化画像を生成した後に第１プリンタドライバ部から起動され、図１のネットワーク１０４を介して情報端末装置１０１に接続される印刷装置１０３に対して、第１プリンタドライバ部から引き渡された符号化画像の紙媒体の各ページへの印刷を指示する。
【００１９】
外部記憶装置２０２は、例えばハードディスク記憶装置又は半導体ディスク装置であり、制御部２０１で実行される各種制御プログラムや、原稿データ、印刷データ、符号化画像のデータ、符号化画像のデータ等を記憶する。
【００２０】
入力部２０３は、ユーザが原稿データの作成や第１プリンタドライバ部に対する印刷指示を入力するための、例えばキーボードやポインティングデバイスである。  表示部２０４は、原稿データや各種データを表示するための、例えば液晶ディスプレイである。
【００２１】
通信インタフェース２０５は、制御部２０１と図１のネットワーク１０４との間のデータの送受信を中継する。
【００２２】
可搬記録媒体インタフェース２０６は、ＵＳＢメモリ、ＳＤカードメモリ、コンパクトフラッシュ（登録商標）メモリや、ＣＤ−ＲＯＭ、ＤＶＤ、光ディスク等の可搬記録媒体２０８を収容するもので、外部記憶装置２０２の補助の役割を有する。
【００２３】
本実施形態による情報端末装置１０１は、制御部２０１の各種機能を実現する制御プログラムをプロセッサが実行することで実現されてよく、それらの制御プログラムは、例えば外部記憶装置２０２や可搬記録媒体２０８に記録して配布してもよく、或いは通信インタフェース２０５によりネットワーク１０４（図１）から取得できるようにしてもよい。
【００２４】
図３は、図１の画像形成装置である複合機１０２の実施形態の構成例を示すブロック図である。複合機１０２は、制御部３０１と、プリンタエンジン３０２と、外部記憶装置３０３と、画像読取りユニットを含む原稿台３０４と、操作パネル３０５と、可搬記録媒体インタフェース３０６と、通信インタフェース３０７とが、バス３０８によって相互に接続された構成を有する。制御部３０１は更に、読取り部３１０、復号部３１１、汚れ制御部３１２、報知部３１３、及び印刷実行部３１４を有する。原稿台３０４には、ＡＤＦが装着されてもよい。
【００２５】
図３の複合機１０２の構成において、制御部３０１は、３１０から３１４の各部の機能を実現する専用のハードウェア装置、又は特には図示しないメモリに記憶された制御プログラムを実行するプロセッサである。
【００２６】
制御部３０１で実行される読取り部３１０は、原稿台３０４の下部に配置される特には図示しない画像読取りユニットを制御することにより、原稿台３０４のガラス面上に置かれた紙媒体又はＡＤＦにより原稿台３０４上に自動搬送された紙媒体に印刷された符号化画像をスキャンして読み取る。
【００２７】
制御部３０１で実行される復号部３１１は、読取り部３１０で読み取られた符号化画像から復号データ（印刷データ）を復号する。
【００２８】
制御部３０１で実行される汚れ制御部３１２は、読取り部３１０及び復号部３１１を制御しながら、復号の失敗が原稿台３０４のガラス面（読取り面）に汚れ又は問題があるのか、符号化画像の原稿に汚れ又は問題があるのかを判定する。
【００２９】
制御部３０１で実行される報知部３１３は、汚れ制御部３１２での判定結果を操作パネル３０５に表示して、ユーザに報知する。
【００３０】
印刷実行部３１４及び印刷実行部３１４によって制御されるプリンタエンジン３０２は、復号部３１１又は汚れ制御部３１２を介して出力される復号データに基づいて、符号化画像に対応する原稿データの製版印刷を実行する。具体的には、印刷実行部３１４は、上記復号データに基づいて製版印刷用の画像データを生成し、プリンタエンジン３０２に出力する。プリンタエンジン３０２は、用紙の給紙、搬送、排紙を制御して、印刷実行部３１４から入力した製版印刷用の画像データの印刷を実行する。
【００３１】
外部記憶装置３０３は、例えばハードディスク記憶装置又は半導体ディスク装置であり、制御部３０１で実行される各種印刷制御プログラムや、復号データや後述するヘッダ情報のデータ、印刷用の画像データ等を記憶する。
【００３２】
操作パネル３０５は、ユーザが各種印刷指示を行ったり、印刷状況の表示等を行うための、例えばタッチパネル及び液晶表示装置である。また、報知部として動作する操作パネル３０５の液晶表示装置には、原稿の符号化画像の復号に失敗した場合に、どこに汚れ又は問題があるのかが表示され、ユーザに報知される。
【００３３】
通信インタフェース３０７は、複合機１０２が特には図示しないローカルエリアネットワーク等に接続される場合に、そのネットワークと制御部３０１との間のデータの送受信を中継する。この通信インタフェース３０７はオプションでよく、本実施形態では特には使用されず、複合機１０２は例えば図１のネットワーク１０４に対してオフラインで使用される。
【００３４】
可搬記録媒体インタフェース３０６は、ＵＳＢメモリ、ＳＤカードメモリ、コンパクトフラッシュ(登録商標)メモリや、ＣＤ−ＲＯＭ、ＤＶＤ、光ディスク等の可搬記録媒体３０９を収容するもので、外部記憶装置３０３の補助の役割を有する。
【００３５】
本実施形態による複合機１０２は、制御部３０１の各種機能を実現する印刷制御プログラムをプロセッサが実行することで実現されてよく、それらの制御プログラムは、例えば外部記憶装置３０３や可搬記録媒体３０９に記録して配布してもよく、或いは通信インタフェース３０７によりネットワークから取得できるようにしてもよい。
【００３６】
図４は、図２の符号化画像生成部２１２で生成され、第２プリンタドライバ部２１３によって図１の印刷装置１０３で紙媒体に印刷される符号化画像の例を示す図である。図４の例では、図２の印刷データ生成部２１１が生成する印刷データ（ジョブデータ）が格納される領域である元データ領域ＡＲ１と、誤り訂正符号のデータが格納される誤り訂正符号データ領域ＡＲ２と、印刷可能な領域（印刷可能領域）において二次元コードの画像が印刷された領域以外の領域である余白領域ＡＲ３と、から構成される領域がデータ領域となる。なお、図４の例では、位置決めマーカＭＫ間に余白部分が存在するが、この部分にもデータを格納するように構成してもよい。符号化画像の具体的な生成方式としては、例えば「特開２０１５−０１１５７３号公報」に開示された技術を採用することができる。
【００３７】
以上の構成を有する実施形態の動作について説明する。図５は、本実施形態の動作説明図である。まずユーザは、図５（ａ）に示されるように、符号化画像の原稿５０３を、複合機１０２の原稿台３０４（図３）のガラス面５０１上で、付あて板５０２に原稿の上側が接するように置き、例えば操作パネル３０５上の読取りボタンを押す。或いは、特には図示しないが、ユーザは、符号化画像の原稿５０３を、複合機１０２のＡＤＦにセットして、読取りボタンを押してもよい。この結果、図３の制御部３０１内の読取り部３１０が、上記原稿台３０４上の又はＡＤＦから原稿台３０４上に自動搬送された符号化画像の原稿５０３に対する原稿読取りを実行する。続いて、図３の制御部３０１内の復号部３１１が、読取り部３１０により読み取られた符号化画像に対して復号を試みる。
【００３８】
図５（ａ）の状態での原稿読取り及び復号の結果、復号部３１１が復号に失敗したとする。この場合には、操作パネル３０５に、「原稿を１８０度回転させて置き直して読取りを再度行ってください」というような旨の表示がなされる。この表示に従ってユーザが、図５（ｂ）に示されるように、符号化画像の原稿５０３を、ガラス面５０１上で、図５（ａ）の破線デジタル信号センター基準線（実際には表示されない）を基準にして、符号化画像の原稿５０３を１８０度回転させて、付あて板５０２に原稿の下側が接するように置き、操作パネル３０５上の読取りボタンを押す。或いは、ユーザは、符号化画像の原稿５０３を１８０度回転させてＡＤＦに置いて、読取りボタンを押す。この結果、図３の制御部３０１内の読取り部３１０が、上記原稿台３０４上に置かれた又はＡＤＦから原稿台３０４に自動搬送された１８０度回転した符号化画像の原稿５０３′に対する原稿読取りを実行する。続いて、図３の制御部３０１内の復号部３１１が、読取り部３１０により読み取られた符号化画像に対して再度復号を試みる。
【００３９】
図５（ｂ）の状態での再度の原稿読取り及び復号の結果、復号部３１１が再度復号に失敗したとする。この場合、図３の制御部３０１内の汚れ制御部３１２が、最初に復号に失敗した符号化画像上の符号化位置と再度の復号に失敗した符号化画像の符号化位置の位置関係を判定する。
【００４０】
この結果、例えば図５（ｃ）のＡに示されるように、汚れ制御部３１２が上記位置関係が異なると判定した場合には、原稿台３０４のガラス面５０１又は画像読取りユニットに汚れ又は問題があると判定する。
【００４１】
一方、例えば図５（ｄ）のＢに示されるように、汚れ制御部３１２が上記位置関係が同じであると判定した場合には、符号化画像の原稿５０３自体に汚れ又は問題があると判定する。
【００４２】
続いて、報知部３１３が、汚れ制御部３１２による上記判定の結果を、操作パネル３０５に液晶表示装置に表示させて、ユーザに報知する。
【００４３】
このようにして、本実施形態では、ユーザは、復号の失敗の原因が原稿台３０４のガラス面５０１又は画像読取りユニットにあるのか、符号化画像の原稿５０３自体にあるのかを判断することが可能となる。
【００４４】
図６は、図３の制御部３０１内の読取り部３１０、復号部３１１、汚れ制御部３１２、報知部３１３、及び印刷実行部３１４の機能を実現する制御処理の例を示すフローチャートである。この制御処理は、プロセッサである図３の制御部３０１が特には図示しないメモリに記憶された制御プログラムを実行する動作である。
【００４５】
まず、ユーザが、図５（ａ）に例示されるように符号化画像の原稿５０３を原稿台３０４のガラス面５０１に置いて、又は特には図示しないが符号化画像の原稿５０３をＡＤＦにセットして、例えば操作パネル３０５上の読取りボタンを押す。これにより、制御部３０１は、原稿台３０４上の又はＡＤＦから原稿台３０４上に自動搬送された符号化画像の原稿５０３をスキャンする（ステップＳ６０１）。
【００４６】
次に、制御部３０１は、ステップＳ６０１のスキャンで得られた符号化画像のデータに対して、復号処理を実行する（ステップＳ６０２）。この復号処理では、図４のマーカＭＫの位置が検出されながら、符号化画像の位置が検出され、図４の誤り訂正符号データ領域ＡＲ２のデータを用いて誤り検出及び訂正が実行されながら、元データ領域ＡＲ１の原稿データに対応する復号データが生成される。
【００４７】
制御部３０１は、ステップＳ６０２の復号処理に成功したか否かを判定する（ステップＳ６０３）。
【００４８】
制御部３０１は、復号処理に成功したと判定した場合（ステップＳ６０３の判定がＹＥＳの場合）、復号データに対して更に圧縮復元処理を実行して原稿データを復元する（ステップＳ６１４）。そして、制御部３０１は、復元した原稿データの画像データに対して印刷を実行する（ステップＳ６１５）。その後、制御部３０１は、図６のフローチャートで例示される制御処理を終了する。
【００４９】
制御部３０１は、復号処理に失敗したと判定した場合（ステップＳ６０３の判定がＮＯの場合）、操作パネル３０５に、「原稿を１８０度回転させて読取りを再度行ってください」というような旨の表示を行い、ユーザに報知する（ステップＳ６０４）。この表示に従ってユーザが、図５（ｂ）に示されるように、符号化画像の原稿５０３を、ガラス面５０１上で、符号化画像の原稿５０３を１８０度回転させて、付あて板５０２に原稿の下側が接するように置き又は特には図示しないＡＤＦに置いて、操作パネル３０５上の読取りボタンを押す。
【００５０】
この結果、図３の制御部３０１内の読取り部３１０が、上記原稿台３０４上に置かれた又はＡＤＦから原稿台３０４上に自動搬送された１８０度回転した符号化画像の原稿５０３′に対して、再度のスキャンを実行する（ステップＳ６０５）。
【００５１】
続いて、制御部３０１は、ステップＳ６０５の再度スキャンで得られた符号化画像のデータに対して、再度の復号処理を実行する（ステップＳ６０６）。
【００５２】
制御部３０１は、ステップＳ６０２の再度の復号処理に成功したか否かを判定する（ステップＳ６０７）。
【００５３】
制御部３０１は、再度の復号処理に成功したと判定した場合（ステップＳ６０７の判定がＹＥＳの場合）、前述したステップＳ６１４及びＳ６１５の処理を実行して、復元した原稿データの画像データに対して印刷を実行する。
【００５４】
制御部３０１は、再度の復号処理に失敗したと判定した場合（ステップＳ６０７の判定がＮＯの場合）、最初に復号に失敗したときと再度の復号に失敗したときの２回とも同じ箇所で復号に失敗しているか否かを判定する（ステップＳ６０８）。
【００５５】
ステップＳ６０８の判定がＮＯ（図５（ｃ）のＡのケース）の場合、制御部３０１は、原稿台３０４のガラス面５０１に汚れ又は問題があると判定する。この場合、制御部３０１はまず、ステップＳ６０２での最初の復号のときに復号に成功した部分の復号データと、ステップＳ６０６での再度の復号のときに成功した部分の復号データとを合成することにより、誤り部分を訂正する（ステップＳ６０９）。
【００５６】
制御部３０１は、ステップＳ６０９の復号データの合成及び訂正に成功したか否かを判定する（ステップＳ６１０）。
【００５７】
制御部３０１は、復号データの合成及び訂正に成功したと判定した場合（ステップＳ６１０の判定がＹＥＳの場合）、まず操作パネル３０５の液晶表示装置に、「印刷はできましたが、原稿台ガラス面が汚れているので綺麗に拭いておいてください」というような旨の表示を行った上で、前述したステップＳ６１４及びＳ６１５の処理を実行して、復元した原稿データの画像データに対して印刷を実行する。この処理により、原稿台の読取り面に汚れ又は問題があると判定された場合であっても、復号データを出力することができて、ユーザの利便性を高めることが可能となる。
【００５８】
制御部３０１は、復号データの合成及び訂正に失敗したと判定した場合（ステップＳ６１０の判定がＮＯの場合）、操作パネル３０５の液晶表示装置に、「原稿台ガラス面が汚れているので綺麗に拭いてから再度原稿の読込みを行ってください」というような旨の表示を行う（ステップＳ６１２）。その後、制御部３０１は、印刷処理を中断し（ステップＳ６１６）、図６のフローチャートで例示される制御処理を終了する。
【００５９】
一方、前述したステップＳ６０８の判定がＹＥＳ（図５（ｄ）のＢのケース）の場合、制御部３０１は、符号化画像の原稿５０３自体に汚れ又は問題があると判定する。この場合、制御部３０１は操作パネル３０５の液晶表示装置に、「原稿が汚れている又は問題があるので原稿を再度印刷してから再度読込みを行ってください」というような旨の表示を行う（ステップＳ６１３）。その後、制御部３０１は、印刷処理を中断する（ステップＳ６１６）、図６のフローチャートで例示される制御処理を終了する。
【００６０】
以上説明した実施形態では、復号に失敗した場合のみ、復号を失敗した位置関係に基づいてガラス面（読取り面）の汚れ等か符号化画像の原稿自体の汚れ等かを判断するようにした。これに対して、復号時の誤り訂正率に基づいて汚れを判断するようにしてもよい。
【００６１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６２】
以上の実施形態に関して、更に以下の付記を開示する。
（付記１）
符号化画像の原稿を読み取る読取り部と、前記読取り部により読み取られた符号化画像を復号する復号部とを備える画像形成装置において、
前記復号部が前記復号に失敗した場合は、前記符号化画像の原稿の向きを変更した置き方で前記読取り部に前記符号化画像を再度読み取らせ、前記再度読み取らせた符号化画像を前記復号部に再度の復号を実行させ、
前記復号部が前記再度の復号に失敗した場合において、最初に前記復号に失敗した前記符号化画像上の符号化位置と前記再度の復号に失敗した前記符号化画像の符号化位置の位置関係を判定し、
前記位置関係が異なると判定した場合は前記読取り部に汚れ又は問題があると判定し、
前記位置関係が同じであると判定した場合は前記符号化画像の原稿に汚れ又は問題があると判定する、
汚れ制御部と、
前記汚れ制御部による夫々の前記判定の結果をユーザに報知する報知部と、
を有することを特徴とする画像形成装置。
（付記２）
前記汚れ制御部は、前記読取り部に汚れ又は問題があると判定した場合に、前記復号部で得られる最初の前記復号のときに復号に成功した部分の復号データと、前記復号部で得られる前記再度の復号のときに成功した部分の復号データとを合成して訂正し、前記合成及び前記訂正に成功した場合に得られる復号データを最終的な復号データとして出力する、ことを特徴とする付記１に記載の画像形成装置。
（付記３）
符号化画像の原稿を読み取る読取り処理と、前記読取り処理により読み取られた符号化画像を復号する復号処理とを実行する画像形成方法であって、
前記復号処理で前記復号に失敗した場合は、前記符号化画像の原稿の向きを変更した置き方で前記読取り処理で前記符号化画像を再度読み取り、前記再度読み取らせた符号化画像を前記復号処理で再度の復号を実行し、
前記復号処理で前記再度の復号に失敗した場合において、最初に前記復号に失敗した前記符号化画像上の符号化位置と前記再度の復号に失敗した前記符号化画像の符号化位置の位置関係が異なる場合には前記読取り処理を行う読取り部に汚れ又は問題があると判定し、
前記位置関係が同じ場合には前記符号化画像の原稿に汚れ又は問題があると判定する、
汚れ制御処理と、
前記汚れ制御処理による夫々の前記判定の結果をユーザに報知する報知処理と、
を実行することを特徴とする画像形成方法。
【符号の説明】
【００６３】
１００  画像形成システム
１０１  情報端末装置
１０２  複合機
１０３  印刷装置
１０４  ネットワーク
２０１、３０１  制御部
２０２、３０３  外部記憶装置
２０３  入力部
２０４  表示部
２０５、３０７  通信インタフェース
２０６、３０６  可搬記録媒体インタフェース
２０７、３０８  バス
２０８、３０９  可搬記録媒体
２１０  原稿データ生成部
２１１  印刷データ生成部
２１２  符号化画像生成部
２１３  第２プリンタドライバ部
３１０  読取り部
３１１  復号部
３１２  汚れ制御部
３１３  報知部
３１４  印刷実行部
５０１  ガラス面
５０２  付あて板
５０３、５０３′  符号化画像の原稿
【図１】
2019047200.tif 000003
【図２】
2019047200.tif 000004
【図３】
2019047200.tif 000005
【図４】
2019047200.tif 000006
【図５】
2019047200.tif 000007
【図６】
2019047200.tif 000008